(57)【特許請求の範囲】
【請求項１】
患者支持スリングにおいて、
背部支持部と、
側部フランジを有する臀部支持部であって、前記背部支持部に連結された臀部支持部と、
前記背部支持部に連結された第１および第２の背部支持ストラップと、
前記臀部支持部の側部フランジから延在している第３および第４のストラップと、を具え、
前記臀部支持部が、前記背部支持部に対して少なくとも１の折り畳み線で折り畳み可能であり、
少なくとも１の前記折り畳み線が、前記背部支持部もしくは臀部支持部を形成するシート材料内の弱化線であり、または少なくとも１の前記折り畳み線が、前記背部支持部もしくは臀部支持部に固定された独立したヒンジ要素であり、
前記臀部支持部が、さらに、下側面に中央切り欠き部を有する、
ことを特徴とする患者支持スリング。
【請求項２】
請求項１に記載の患者支持スリングにおいて、前記第３および第４のストラップが、長さ調節可能であることを特徴とする患者支持スリング。
【請求項３】
請求項１または２に記載の患者支持スリングにおいて、前記第３および第４のストラップが、前記第１および第２のストラップから取外し可能であることを特徴とする患者支持スリング。
【請求項４】
請求項１乃至３の何れか１項に記載の患者支持スリングにおいて、前記臀部支持部が、複数の折り畳み線において前記背部支持部に対して折り畳み可能であることを特徴とする患者支持スリング。
【請求項５】
請求項４に記載の患者支持スリングにおいて、前記臀部支持部が、少なくとも横方向の折り畳み線に沿って折り畳み可能であることを特徴とする患者支持スリング。
【請求項６】
請求項１乃至５の何れか１項に記載の患者支持スリングにおいて、前記臀部支持部が、横方向の折り畳み線に沿って折り畳み可能であって、前記臀部支持部を前記背部支持部に対して上方に折り畳めることを特徴とする患者支持スリング。
【請求項７】
請求項１乃至６の何れか１項に記載の患者支持スリングにおいて、前記折り畳み線が、前記背部支持部および前記臀部支持部の材料内の弱化線、または支持部間の可撓性連結要素であることを特徴とする患者支持スリング。
【請求項８】
請求項１乃至７の何れか１項に記載の患者支持スリングにおいて、前記背部支持部および／または前記臀部支持部が、少なくとも重力に対してその形状を保持する剛性を有することを特徴とする患者支持スリング。
【請求項９】
請求項１乃至８の何れか１項に記載の患者支持スリングにおいて、前記背部支持部および／または前記臀部支持部の材料が、プラスチックシート材料であるか、またはプラスチックシート材料を含むことを特徴とする患者支持スリング。
【請求項１０】
請求項９に記載の患者支持スリングにおいて、前記背部支持部および／または臀部支持部は、プラスチックシート材料または成形プラスチックまたは繊維材料から形成されていることを特徴とする患者支持スリング。
【請求項１１】
請求項１乃至１０に記載の患者支持スリングにおいて、前記背部支持部および前記臀部支持部が、共通の材料でできたシートから形成されていることを特徴とする患者支持スリング。
【請求項１２】
請求項１乃至１０の何れか１項に記載の患者支持スリングにおいて、前記背部支持部および前記臀部支持部が、互いに連結された別個の材料でできたシートから形成されていることを特徴とする患者支持スリング。
【発明の詳細な説明】
【技術分野】
【０００１】
本発明は、患者の起立支援、または持上げ支援に使用可能であり、特殊な能動的リフトまたはホイストである設定変更可能な患者用スリングに関し、患者が着座した状態から起立した状態への動き、その逆の動き、およびその間の別の位置への動きを支援するスリングに関する。
【背景技術】
【０００２】
患者用スリングは、病院や介護施設で広く使用されている。いくつかのスリングは、例えばリクライニング位置にあるとき、患者の全体重を支持するように設計されており、受動的なリフトまたはホイストとともに使用されているが、その他のスリングは、起立支援装置や持上げ支援装置などの能動的なリフトまたはホイストにより、着座位置であるいは起立位置においても患者を支持することができる。
【０００３】
通常、スリングは、複数のストラップを有する材料でできた成型シートの形態であり、使用時に患者を完全に地面または支持面から持ち上げることのできる（すなわち、受動的リフト機構またはホイスト）、および／または多少動くことができる患者または自身の脚でいくらか体重を負担する必要のある能動的リフト機構またはホイストの助けを借りて着座または起立することのできる患者への安定的な支持を提供するリフト機構またはホイスト（すなわち、受動的なリフト機構またはホイスト）に取り付けられている。
【０００４】
既知のスリングは全体としては良好に患者を支持するが、患者が身支度、洗浄、トイレなどの様々な作業のいずれかを実行しようとするときに、患者の動きを制限したり、または適切な支持を提供できないことがある。
【発明の概要】
【０００５】
本発明は、改善された患者支持スリングを提供することを目的とする。
【０００６】
本開示の一態様によれば、患者支持スリングが提供されており、これは、背部支持部と、背部支持部に連結された臀部支持部と、背部支持部に連結された第１および第２の背部支持ストラップと、臀部支持部に連結された第３および第４のストラップとを具えており、第３および第４のストラップは、第１および第２のストラップに調節可能に連結され、臀部支持部は、背部支持部に対して折り畳み可能である。
【０００７】
好ましくは、第３および第４のストラップは、長さの調節が可能である。第３および第４のストラップは、第１および第２のストラップから取外し可能であってもよい。
【０００８】
有利なことに、臀部支持部は、複数の折り畳み線で背部支持部に対して折り畳み可能である。臀部支持部は、好ましくは、少なくとも側部の折り畳み線に沿って折り畳み可能である。好ましい実施形態では、臀部支持部は、横方向に横断する折り畳み線に沿って折り畳み可能であり、背部支持部に対して臀部支持部の上方への折り畳みが可能である。好ましい実施形態では、臀部支持部は、患者の腰部に向かって完全に折り畳んだり、取り外すことができ、または臀部支持部の一方または他方の側部で折り畳むことができる。
【０００９】
折り畳み線は、背部支持部および臀部支持部の材料内の弱化線、または支持部間の可撓性連結要素などであってもよい。
【００１０】
好ましい実施形態では、背部支持部および臀部支持部は、共通の材料でできたシートから形成され、他の実施形態では、互いに連結された別々の材料でできたシートから形成することができる。
【００１１】
背部支持部および／または臀部支持部は、その形状を保持する材料で形成することができる。この材料は、プラスチックシートまたは成形プラスチックまたは繊維材料である。
【００１２】
その他の特徴および利点は、以下の説明および図面から明らかになるであろう。
【図面の簡単な説明】
【００１３】
本開示の実施形態を、添付の図面を参照し、単に例示として以下に説明する。
【図１】図１は、患者を着座位置にて支持している一実施例のスリングの一方の側部から見た斜視図である。
【図２】図２は、図１に示すスリングおよび患者の後方斜視図である。
【図３】図３は、スリング内に患者のない図１におけるスリングの前方斜視図である。
【図４】図４は、図３のスリングの側面斜視図である。
【図５】図５は、図３のスリングの側面斜視図であり、スリングの背部支持部および後方支持部間の折り畳み線を示している。
【図６】図６は、横方向に横断する折り畳み線に沿って折り畳んだ状態にある本明細書に教示したスリングの側面斜視図である。
【図７】図７は、折り畳まれた状態にある本明細書に教示したスリングの後方斜視図であり、臀部支持部が一方の側に沿って折り畳まれている。
【図８】図８は、本開示のスリングの側面斜視図であり、別の折り畳み線の構成によるスリングの背部支持部と後方支持部間の折り畳み線を示す。
【図９】図９は、本開示のスリングの側面斜視図であり、別の折り畳み線の構成によるスリングの背部支持部と後方支持部間の折り畳み線を示す。
【発明を実施するための形態】
【００１４】
これらの図は、起立状態にあるときに加えて、着座状態にあるときに患者を支持するよう設計された患者支持スリングの実施形態を概略的な形態で示している。さらにスリングの典型的な使用は、脚を多少使用できる患者の支援に用いるなど、起立および持上げ支援を伴うが、必要であれば患者を地面から持ち上げることもできる。
【００１５】
図１乃至図４を参照すると、スリング１０は、背部支持部１２と臀部支持部１４とを具えており、この実施形態においては、これらが単一の材料でできたシート１６から形成されている。背部支持部１２と臀部支持部１４とを形成している材料１６は、例えば、アクリロニトリル−ブタジエン−スチレン（ＡＢＳ）、ポリプロピレン（ＰＰ）、ポリオキシメチレン（ＰＯＭ）のような一般的に可撓性または剛性のプラスチック材料、またはシリコン、ポリウレタン（ＰＵＲ）などの軟質材料、または熱可塑性エラストマ（ＴＰＥ）などを含む任意の適当な材料である。シート材料１６は、背部支持部１２および臀部支持部１４全体にわたって均一な厚さであるが、別の実施形態においては、シート材料が異なる厚さを有してもよい。例えば、スリング１０の中央部２６周りは、背部支持部１２および臀部支持部１４の側部フランジ１８、２０、２２、および２４よりも厚く、より固くしてもよい。別の実施例では、スリングの材料が、中央部２６に加え、側部フランジ１８および２０で固くするようにしている。本開示のいくつかの実施形態によれば、この材料は、少なくとも重力に対してその形状を保持するときに剛性であると解釈される。他の実施形態においては、中央部２６が、サイドフランジ１８−２４より薄い材料でできている。当業者であれば、異なる厚さの部分を有することにより、シート材料１６の可撓性が変化し、その結果スリング１０が、患者をスリングに支持したときに患者５０の形状に適合する能力を得ることは理解するであろう。
【００１６】
本開示の一実施形態では、背部支持部１２は、人間の腰椎と同様のＳ字曲線を有するよう構成されている。本開示のその他の実施形態における背部支持部１２は、湾曲を予め形成しない構成となっており、患者の背中の湾曲に適合するのに十分な柔軟性を有する。背部支持部１２に係るこれらの実施形態のいずれにおいても、背部支持部１２は、平均サイズの成人男性患者（または平均サイズの成人女性患者）の坐骨領域（例えば、坐骨結節）から、このような平均サイズの成人男性患者（または平均サイズの成人女性患者）の下部胸椎までにわたる寸法とすることができる。
【００１７】
本体部１２の側部１８、２０は、この実施形態において、後部１２がほぼ垂直な向きにあるとき、ほぼ水平に延在するストラップ３０、３２まで延在している。これらのストラップは、好ましくは適合可能な材料で作られており、例えば、ナイロン、ポリエステル軟質ＰＰまたはＰＵＲ、ＴＰＥなどの網目状のポリマ材料であってもよい。ストラップ３０、３２の先端部３４には、通常、ストラップを従来の形態のリフトホイストに取り付ける連結要素が設けられている。適切な連結要素は、当該技術分野において周知であり、したがって、ここでは詳細に説明しない。起立支援および持上げ支援装置として構成されているリフトホイストの非限定的な例の１つは、Ａｒｊｏｈｕｎｔｌｅｉｇｈ社によって製造された起立および持上げ支援装置Ｓａｒａ（登録商標）であり、起立および持上げ支援装置Ｓａｒａ（登録商標）３０００または起立および持上げ支援装置Ｓａｒａ（登録商標）Ｌｉｔｅなどがある。これにスリング１０を連結して起立位置と着座位置との間で患者を持ち上げたり、降ろしたりする。
【００１８】
追加のストラップ３６、３８が、臀部支持部１４の側部フランジ２２、２４から延在しており、これらのストラップは同様に、ナイロン、ポリエステル軟質ＰＰまたはＰＵＲ、ＴＰＥウェビングのような可撓性材料で作ることができる。図１から図４にて明らかなように、ストラップ３６、３８は、それぞれ背部支持ストラップ３０、３２まで延在しており、好ましい実施形態では、例えば、図１から図３に概略的に示すように、適切なバックルまたはその他の留め具１５により、ストラップ３０、３２に調節可能に連結されている。これは、すべての実施形態に存在しており、これによって以下に記載する目的のため、ストラップ３６、３８が各ストラップ３０、３２に近づくように引っ張られる、またはそこから離れるように引っ張られる。バックルまたは他の締結具１５により、例えば摩擦または歯のかみ合わせ機構により、または従来の調節可能なバックルまたはストラップ３６、３８上のピンと間隔を空けたアイレットにより、ストラップ３６、３８の動作可能な長さを変えて固定することが可能である。
【００１９】
ストラップ３０、３２に調節可能に連結されたストラップ３６、３８の１つの目的は、ストラップ３０、３２が主耐荷重ストラップであるが、第２ストラップ３６、３８が側部フランジ２２、２４の臀部部分を引き上げることである。この側部フランジ２２、２４は、スリング１０を装着している患者の大臀筋を受けるような寸法であり、そのように構成されている。したがって、側部フランジ２２、２４は、臀部側フランジと称することができる。臀部側フランジ２２、２４が患者の各側の大臀筋を受ける能力により、スリング１０の適切な配置が容易になり、使用中にスリングが患者の背中を滑り落ちないようにする。さらに、ストラップ３６、３８を介してストラップ３０、３２を適切に調整および連結すると、側部フランジ２２、２４のこの構成により、患者の移動が容易になり、患者の起立または持上げ支援装置の使用時に、着座から起立への動きをスリングによって支援する間に、スリング１０が患者の後部（すなわち尻または臀部）の下を支持するため、着座位置から起立位置へと上に上がるおよび前に進むにあたり、側部フランジがスリング１０を追従する。
【００２０】
特に図１および図２に見られるように、背部支持部１２および臀部支持部１４は、側部の切り欠きまたは凹部４０、４２により垂直方向に互いに離間した側部フランジ１８−２４をそれぞれ有する。これにより、ストラップ３６、３８がストラップ３０、３２に対して垂直に離間してストラップ３０、３２と交差する角度で延在するだけでなく、臀部支持部１４が背もたれ部分１２に対して内側かつ上側に引っ張られて、実際には患者の臀部または尻（すなわち大臀筋）周りで湾曲するため、上述したように患者を支持し、患者が滑るのを防止することができる。したがって、臀部支持部１４は、臀部支持部１４が湾曲しているため、患者の尻または臀部の下に、必要であれば、着座位置において患者の全体重を支える十分な角度に配置される、または臀部側フランジ２２、２４上の第２のストラップ３６、３８をそれぞれ引っ張ることにより、患者の臀部の周りで湾曲するのに十分に柔軟である。
【００２１】
臀部支持部１４はまた、その下側面に中央切り欠き部４４を具えており、これにより、例えばトイレにおいても患者をスリング１０に支持し続けることができる。言い換えれば、中央切り欠き部４４は、患者の尾骨に対して押し付けられないような寸法であり、それにより、尾骨の上に褥瘡性潰瘍が発生する危険性が減り、便および／または尿の排泄経路を提供して、患者はスリング１０を身につけたまま排便および／または排尿することができる。したがって、この中央切り欠き部４４は、従来のスリングに欠けている機能をスリング１０に提供している。すなわち、スリング１０は、適切な能動的ホイストまたはリフトを用いて、トイレでの起立位置と着座位置との間で患者を下降させ上昇させる支援を提供するのに使用でき、患者は排便および／または排尿する前に、実質的な汚れを避けるためにスリング１０を取外す必要がない。
【００２２】
ここで図５を参照すると、背部支持部１２と臀部支持部１４との間の接合部の構造をさらに詳細に示している。より具体的には、この実施形態では、背部支持部１２および臀部支持部１４を形成しているシート材料１６内に３つの折り畳み線５２、５４および５６が設けられている。この実施形態において折り畳み線５２は、２つの側部の凹部４０、４２の間にほぼ水平に延在しており、横方向の折り畳み線として特徴付けられる。この開示の一実施形態では、折り畳み線５２は、凹部４０、４２間の最も狭い距離を横切るように、一方の凹部４０の頂点から他方の凹部４２の頂点まで延在している。この折り畳み線５２により、図６に示すように、臀部支持部１４を背部支持部１２に対して上方に折り畳むことができ、これによって、この折り畳まれた位置において身体の腰の下がスリング１０から自由になるため、スリングを着用している患者の身支度および／または洗浄が容易になる。
【００２３】
折り畳み線５４、５６は、臀部支持部１４のそれぞれの側部に位置し、例えば、水平に対して３０°程度の角度で延在する。一実施形態では、折り畳み線５２、５４および５６は、三角形に構成され、各折り目は、スリング１０の外部の空間における他の２つの折り畳み線と交差するように延在する無限線上に配置されたセグメントを表す。例えば、折り畳み線５２は、右側側部の凹部４２に延在し、右側折り目５６と同一直線上の仮想線と交差して、無限水平線のセグメントを構成する。折り畳み線５２と同一直線上にある無限水平線は、左側凹部４２内の位置で左側折り畳み線５４と同一直線上にある仮想線と交差する。折り畳み線５４および５６と同一直線上にある仮想線は、中央切り欠き部４４内で交差する。したがって、本開示の一実施形態によれば、折り畳み線５２、５４および５６の幾何学的構造の配置は仮想三角形であり、各折り畳み線は、仮想三角形の側部の１つの上に配置され、他の２つの折り畳み線に対して交差しない。本開示の一実施形態において、折り畳み線５２、５４および５６の三角形構造は、二等辺三角形であり、それゆえ、折り畳み線５２、５４および５６自体は交差しないが、それらの仮想上の共線は交差する。別の実施形態では、折り畳み線５２、５４および５６は、これらの仮想線が交差して三角形を形成しないようにオフセットされている。
【００２４】
図５は直線の折り畳み線５２、５４、５６を示しているが、これらの折り畳み線は、図８に示すように、ルーロー三角形または１つ、２つまたは３つの凸面辺を有する二等辺三角形の辺に沿って配置されるように湾曲するか、または反ユークリッドの辺、反対方向に曲がった三角形、または図９に示すような１つ、２つまたは３つの凹面辺を有する二等辺三角形の辺に沿って配置されるよう湾曲していてもよい。
【００２５】
折り畳み線５４、５６は、通常、各ストラップ３６、３８の長さを変更することにより、または各ストラップ３６、３８をそれらと関連するストラップ３０、３２から完全に取り外すことにより、臀部支持部１４の２つの側部が互いに個別に持ち上げられることが可能である。以下に説明するように、これにより、耐荷重ストラップ３０、３２を介して患者を直立姿勢で支持し続けながら、患者が着衣または脱衣するのを支援できる。本開示のいくつかの実施形態では、折り畳み線５２、５４、５６を完全になくしてもよく、あるいは1またはそれ以上の折り畳み線５２、５４、５６のみを設けるようにしてもよい。例えば、本開示の一実施形態では、折り畳み線５２のみが提供されている。本開示の別の実施形態では、折り畳み線５４と５６のみが設けられている。
【００２６】
折り畳み線５２、５４、５６は、シートレスト部１２、１４の背部を形成するシート材料１６内に弱化線として設けることができる。このような弱化線は、シート材料１６を折り畳み線に沿って薄くするか、またはこの折り畳み線に沿ってシート材料１６に穿孔を設けるか、または優先的に曲がることを可能にする線に沿って他の変則性を提供することにより形成することができる。本開示の一実施形態では、折り畳み線５２、５４、５６は、シート材料１６に恒久的な脆弱性を生じさせるのに事実上十分な材料に形成した折り目を構成している。他の実施形態では、折り畳み線５２、５４、５６は、支持部分１２、１４に固定された別個のヒンジ要素であってもよく、この目的ため、繊維またはプラスチックのヒンジであってもよい。後者の実施形態においては、背部支持部１２および臀部支持部１４は、折り畳み線５２−５６のヒンジによって互いに連結されたシート材料でできた個別要素であってもよい。
【００２７】
折り畳み線５２、５４、５６によって、シートレスト部１４が上方に折り畳まれて患者の臀部から離すことができる。これは、一例では、図５に示すように、折り畳み線５２を中心に、セクション６０を背もたれ部分１２の後面に当接または密接するまで、後方および上方に折り曲げることにより達成できる。シートレスト部１４の側部フランジ２２、２４は、側面の折り畳み線５４、５６によって図５に示されているのと実質的に同じ向きを保持するように、別の方法で折り畳むことができる。この構成は図６に見ることができ、ここでは、右臀部側フランジ２４が側面の折り畳み線５６を中心に折り畳まれ、左臀部側フランジ２２は折り畳まれていない状態のままになっている。当然ながら、右臀部側フランジ２４を折り畳まない状態のまま左臀部側フランジ２２を側面の折り畳み線５４を中心に折り畳むことができ、右臀部側フランジ２４および左臀部側フランジ２２の両方をそれぞれの側面の折り畳み線５６および５４を中心に折り畳むことが可能である。これらの実施形態では、セクション６０は横方向に横断する折り畳み線５２に対して折り畳まれていない状態になっている。
【００２８】
図６から明らかなように、このように折り畳まれたとき、患者の下半身（例えば、腰の下の身体部分）にはスリング１０がないため、患者５０は、スリング１０の上部（すなわち、背部支持部１２）に支持されたまま、患者の下半身に着衣または脱衣することができる。この上部は、上側フランジ１８および２０と、横方向に横断する折り目５２の上にある中央部２６のその部分と、関連するストラップ３０、３２とを具える。スリング１０の下部（すなわち、臀部支持部１４）は、臀部側フランジ２２、２４と、横方向に横断する折り目５２の下にある中央部２６の部分と、セクション６０と、関連するストラップ３４、３６とを具える。
【００２９】
臀部支持部１４のサイドフラップ２２、２４は、必要であれば互いに独立して取り外すことができる。一例が図７に示されており、右側ストラップ３６が、関連する折り畳み線５６を中心にその部分を折り畳むことによって持ち上げられている。この構成では、患者はスリングの左手側に支持され、すなわち左手ストラップ３２および３４によって支持されたまま、例えば着衣などのために患者の右手側にアクセスを提供する。
【００３０】
サイドフラップ２２、２４を再び下げて、サイドフラップ２２、２４が患者の大臀筋に対して定位置に配置されて、ストラップ３２および３０にそれぞれ固定したストラップ３４および３６を使用してバックルなどの締結具１５を介して適所に調整されたとき、患者への完全な支持を提供することができる。
【００３１】
要約すると、好ましい実施形態は、Ｘの形状として説明され得るものに形成された本体１２、１４を有しており、ここでは、ストラップ３０、３２がＸの上部である。これらの上部ストラップ３０、３２は、リフトホイストに取付けられており、Ｘの下部ストラップ３６、３８は、スリング１０の臀部支持部１４が所望の構成に達するまで引っ張ることができる調節可能なプラスチッククリップまたはバックル１５を介して上部ストラップ３０、３２に取り付けられている。スリング１０は、Ｘの中央に上側に位置する背もたれ１２を有する。これにより、身体全体が移動中に、患者の背部が確実に十分に支持される。
【００３２】
本明細書に開示されたスリングの実施形態は、患者の起立および持上げに通常使用される能動的スリングとして機能する。本明細書に開示されたスリングの実施形態と他の形態のスリングとを比較すると、その相違点は、スリングの形態及び機能にある。スリングの背部支持部１２の背部２６および側部パネル２２、２４は、ストラップ３０、３２およびそれらの端末カプリング３４により、ホイストの主要取付け点に取り付けられており、スリング１０のこの部分は、それ自身で動作可能になっている。しかしながら、スリング１０は、臀部支持部１４をストラップ３６、３８によって上部ストラップ３０、３２に取り付ける際に、臀部支持部１４が、患者５０の臀部の下を通るように背部支持部１２に取り付けた臀部支持部１４と共に用いることで完全に使用することができる。本開示の一実施形態によれば、スリング１０は、患者が１またはそれ以上の脚を介して第３の安定用の荷重支持を提供することが必要である患者に２つの点荷重支持を提供するように構成されている。この１またはそれ以上の脚は、起立および持上げ支援（すなわち、能動的なリフト機構）の床または直立用プラットフォームのような支持面上に配置されている。
【００３３】
スリング１０の形状によって、患者の後部（すなわち大臀筋）の下で支持することができるため、安全であるばかりでなく、より快適な起立および持上げ運動を伴う多機能な配置を提供する。さらに、スリング１０は、患者が衣服を脱ぐ間に、スリングの少なくとも１つの側部上（右側か左側）で同時に荷重支持を提供するような構成にすることが可能であり、さらにその下側部分は、折り畳み可能であり患者と係合しないような荷重支持とすることができ、一方、上側部分は、患者と係合したままであり、患者の腰より下の下半身の洗浄および／または着付けを容易にする。
【００３４】
スリング１０は、患者５０の後部の下にフィットする形状の臀部支持部１４を有し、それで大臀筋を受ける、または保持し、調節可能なバックル１５またはその他の締結部を具える下側ストラップ３６、３８により、スリング１０の上側取付けストラップ３０、３２に取り付けられる。ストラップ３６、３８を引っ張ることで、折り畳み線５２、５４および５６を患者に向かってある程度折り畳むことができ、それにより、セクション６０および臀部側の部分２２、２４が折り畳み線の周りで屈曲し、患者の大臀筋および臀部に適合する。下側ストラップ取付け部は、緩めたり取り外したりすることが可能である。このモードでは、ストラップ３６、３８を緩めたり取り外したりして、スリング１０の臀部支持部１４を折り畳んで、患者のズボンにアクセスして容易に脱がすことができる。臀部支持部１４は、スリング１０の一方の側で緩めたり／取り外すことができ、次いで、図７に示すように患者５０の片側で一度折り畳まれるか、または図６に示すように、両側で緩めたり／取り外したりした後、患者５０の下側腰部に沿って完全に折り畳むことができる。
【００３５】
スリング１０の主要部１２、１４は、プラスチックシートまたは成形プラスチックから作ることができる。この部分には、ストラップから患者にとって快適な柔らかいパッド材まで、あらゆる物を取り付けることができる。
【００３６】
別の実施形態では、スリングは、記載の他の特徴に加えて、布材、有利には織物中にプラスチックインサートがある材料でつくることができる。
【００３７】
スリング１０の形状および３つの場所にて折り畳む能力により、スリング１０を患者のいずれかの側から、または患者の背後から使用することも可能である。本開示の一実施形態では、スリング１０の下側臀部支持部１４は、プラスチッククリップまたは調節可能なバンドのいずれかを用いて背部支持部１２に取り付けることができ、これは着脱可能および／または調節可能である。
【００３８】
図６の構成のように、患者５０が起立し、スリング１０が折り畳まれており、患者のズボンが引き下げられると、スリング１０を図３の構成のように、再び取り付けて、患者５０をトイレの上に降ろすことができる。スリング１０における臀部支持部１４の開口部またはギャップ４４により、中央切り欠き部４４によって提供される開口部が、便または尿が遮られることなく落下する障害物のない通路を提供するので、トイレを使用する際に患者５０はスリングを着用することができる。スリング１０に着座するとき、開口部４４はトイレの真上に配置される。したがって、患者５０がトイレにいるときにスリング１０を取外す必要はない。
【００３９】
さらにスリング１０により、患者は衣服の着脱中に、少なくとも片側で患者５０の後部または臀部の下で患者を同時に支持することを可能とする。スリング１０の臀部支持部１４の側部にある調節可能な臀部側フラップ２２、２４により、スリング１０による衣類への良好なアクセスおよび患者５０の洗浄が可能となる。
【００４０】
スリング１０により、患者５０の背部と臀部の両方（すなわち、大臀筋および臀部）を支持することができ、より快適な移送と起立位置ができる。本開示の一実施形態によれば、スリング１０は、部分的な重量支持をするためにのみに構成され、患者の体重全体を完全に運ぶ受動ホイストまたはリフトは用いずに、起立および持上げ支援に使用するのに適している。言い換えれば、本開示の特定の実施形態によれば、スリング１０は、脚部で相当量の体重（すなわち、支持部を用いて起立するのに十分な体重）を支えることのできる患者に用いられる部分的な荷重支持スリングとして構成され、したがって、スリング１０に取り付けられた能動的なリフトを使用して、着座位置と起立位置との間で支援することができる。
【００４１】
スリングが、プラスチックシートまたは成形プラスチックまたは繊維材料でできている場合、標準的なファブリックスリングに比べて洗浄が非常に容易であり、使用直後にスタッフが現場ですぐに洗浄できる。
【００４２】
有利には、スリング１０は、座っている患者の臀部（すなわち、大臀筋および臀部）への配置を容易にするのに十分な剛性があるプラスチックシートまたは成形プラスチックで作られている。
【００４３】
記載された実施形態および従属請求項のすべての任意選択的な、および好ましい特徴および変更は、本明細書で教示される本発明のすべての態様において使用可能である。さらに、従属請求項の個々の特徴、ならびに記載された実施形態のすべての任意選択的なおよび好ましい特徴および変更は、互いに組み合わせることが可能であり、相互交換可能である。
【００４４】
この出願に伴う要約の開示は、参照により本明細書に組み込まれる。
【図１】
0006770006.tif 000002
【図２】
0006770006.tif 000003
【図３】
0006770006.tif 000004
【図４】
0006770006.tif 000005
【図５】
0006770006.tif 000006
【図６】
0006770006.tif 000007
【図７】
0006770006.tif 000008
【図８】
0006770006.tif 000009
【図９】
0006770006.tif 000010